(57)【要約】【課題】安価且つ簡単な構成で、操作キーにおける照光色のバリエーションを増やすことができる携帯電子機器を提供する。【解決手段】本発明の携帯電話機は、操作キー７を有する操作パッド８と、操作キー７の回路パターンが形成されたプリント基板１２と、プリント基板１２に実装されたＬＥＤ１９を有し操作パッド８を照光する照光部２３と、操作パッド８と照光部２３との間に配置され、操作キ７ーに対応する色材２５の配列パターンを有した照光色変更シート１６と、を有し、照光色変更シート１６が取替え可能に設けられている。【選択図】図２
2010081478.tif 000002
【特許請求の範囲】
【請求項１】
操作キーを有する操作部と、
前記操作キーの回路パターンが形成されたプリント基板と、
前記プリント基板に実装された発光素子を有し前記操作部を照光する照光部と、
前記操作部と前記照光部との間に配置され、前記操作キーに対応する色材の配列パターンを有した照光色変更シートと、を有し、
前記照光色変更シートが取替え可能である
ことを特徴とする携帯電子機器。
【請求項２】
操作キーを有する操作部と、
前記操作キーの回路パターンが形成されたプリント基板と、
前記プリント基板に実装された発光素子を有し前記操作部を照光する照光部と、
前記操作部と前記照光部との間に配置され、前記操作キーに対応する色材の配列パターンを有した照光色変更シートと、を有し、
前記照光色変更シートが、前記配列パターンを複数組有するとともに前記操作部に対してスライド可能に配置されている
ことを特徴とする請求項１記載の携帯電子機器。
【請求項３】
前記照光色変更シートのスライド方向が、前記操作部の面に対して平行な方向である
ことを特徴とする請求項２記載の携帯電子機器。
【請求項４】
前記照光色変更シートに連結されたスライド手段を有する
ことを特徴とする請求項２または３のいずれか一項に記載の携帯電子機器。
【請求項５】
前記操作キーの輪郭に沿って光透過部が設けられている
ことを特徴とする請求項１ないし４のいずれか一項に記載の携帯電子機器。
【請求項６】
前記照光部は、前記操作部と前記プリント基板との間に配置される導光シートを有する
ことを特徴とする請求項１ないし５のいずれか一項に記載の携帯電子機器。
【請求項７】
前記導光シートは、前記発光素子からの光を導光して前記操作キーを照明する照明領域と、該照明領域以外を遮光する遮光領域と、を有する
ことを特徴とする請求項６記載の携帯電子機器。
【発明の詳細な説明】
【技術分野】
【０００１】
本発明は、携帯電子機器に関するものである。
【背景技術】
【０００２】
携帯電話機（携帯電子機器）は、暗所において使用するときのユーザのキー操作を容易にするために、操作キーを照明するためのバックライトを備え、操作キーを内側から照明するようになっている。従来においては、各操作キーの機能を明示するために、操作キーを複数有する操作パッドの内側に各操作キーに対応した色材を印刷するなどしていた。
操作キーを所望の色の光で照光する方法として、例えば、特許文献１には、透光性部材からなるキートップ部材を所定の色で着色しておき、照光していないときと照光した時とで操作キーの照光色のバリエーションが異なる照光式ラバースイッチが開示されている。
ところが、このような構造では、操作キーの照光色を変更したい場合には、操作部自体を取り替えなければならず非常にコストがかかる他、交換作業に手間がかかってしまう。
そこで、操作キーの発光色を任意に可変できるものとして、例えば、赤色、青色、緑色を発光する複数のＬＥＤからなるバックライトを備えた携帯電話機が開示されている（特許文献２）。
【特許文献１】実開平５−６５７４号公報
【特許文献２】特開２００３−３０９６３９号公報
【発明の開示】
【発明が解決しようとする課題】
【０００３】
上述した構成では、各ＬＥＤの発光色とそれぞれの組み合わせからなる色で操作キーを照光することが可能である。しかしながら、各ＬＥＤを発光テーブルに合わせて駆動するドライバＩＣが必要となるなど、装置構成が複雑にならざるを得なかった。また、操作キーの照光色のバリエーションにおいては未だ制限があった。
【０００４】
本発明は、上記従来技術の問題点に鑑み成されたものであって、簡単な構成でコストを抑え、操作キーにおける照光色のバリエーションを増やすことができる携帯電子機器を提供することを目的としている。
【課題を解決するための手段】
【０００５】
本発明の携帯電子機器は、上記課題を解決するために、操作キーを有する操作部と、前記操作キーの回路パターンが形成されたプリント基板と、前記プリント基板に実装された発光素子を有し前記操作部を照光する照光部と、前記操作部と前記照光部との間に配置され、前記操作キーに対応する色材の配列パターンを有した照光色変更シートと、を有し、前記照光色変更シートが取替え可能である。
【０００６】
また、本発明においては、操作キーを有する操作部と、前記操作キーの回路パターンが形成されたプリント基板と、前記プリント基板に実装された発光素子を有し前記操作部を照光する照光部と、前記操作部と前記照光部との間に配置され、前記操作キーに対応する色材の配列パターンを有した照光色変更シートと、を有し、前記照光色変更シートが、前記配列パターンを複数組有するとともに前記操作部に対してスライド可能に配置されていることが好ましい。
【０００７】
また、本発明においては、前記照光色変更シートのスライド方向が、前記操作部の面に対して平行な方向であることが好ましい。
【０００８】
また、本発明においては、前記照光色変更シートに連結されたスライド手段を有することが好ましい。
【０００９】
また、本発明においては、前記操作キーの輪郭に沿って光透過部が設けられていることが好ましい。
【００１０】
また、本発明においては、前記照光部は、前記操作部と前記プリント基板との間に配置される導光シートを有することが好ましい。
【００１１】
また、本発明においては、前記導光シートは、前記発光素子からの光を導光して前記操作キーを照明する照明領域と、該照明領域以外を遮光する遮光領域と、を有することが好ましい。
【発明の効果】
【００１２】
本発明によれば、照光部によって操作キーを照光することが可能となり、さらに操作キーに対応した照光色パターンを有した照光色変更シートによって、操作キーを所望の色の光で照光することが可能である。本発明では、異なる照光色パターンを有した照光色変更シートと取り替えるだけで、操作キーを照光する色を変えることができる。つまり、操作部自体を取り替えるよりも簡単な作業で済むとともにコストを削減することが可能である。また、照光色変更シートを替えるだけで、携帯電子機器の操作部におけるカラーバリエーションを増やすことができるので、生産性も良くなりコスト削減が図れる。
【００１３】
また、照光色変更シートを操作部に対してスライド可能に設け、複数の照光色変更パターンを有したものとすることで、照光色変更シートをスライドさせるだけで操作キーの照光色を適宜可変することが可能である。これにより、ユーザーにより好みの照光色を選択することができる。さらに、外光に応じて照光色の選択が可能になるため、明所あるいは暗所に応じて操作キーを明示し易い照光色で照光することができる。
【発明を実施するための最良の形態】
【００１４】
以下、本発明の実施形態につき、図面を参照して説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１５】
（第１の実施形態）
図１は、第１の実施形態における携帯電話機の全体構成を説明する図であって、（ａ）は携帯電話機の利用時の状態（開状態）を示す平面図、（ｂ）は（ａ）の側面図である。
携帯電話機１００（携帯電子機器）は、画面表示部９を一面に有する第１の筐体１と、操作パッド８を一面に有する第２の筐体２とがヒンジ３を介して結合された携帯電話機本体１００Ａを有し、画面表示部９と操作パッド８とが対向して互いの各筐体１，２が重ね合わさる状態で折畳み収納される。また、図１（ａ），（ｂ）に示すように開いた形で通常の使用がなされる。
【００１６】
第１の筐体１の内面（第２の筐体２との重ね合わせ面）には、ヒンジ３と逆側の端部の近傍に、受話用のスピーカー１０が設けられている。また、画面表示部９は、液晶ディスプレイあるいは有機ＥＬディスプレイからなるものである。
【００１７】
第２の筐体２の内面（第１の筐体１との重ね合わせ面）には、ヒンジ３と逆側の端部の近傍に送話用のマイクロフォン６が設けられている。そして、操作パッド８は、通話キー、終話キー、数字キー等の押圧操作可能な複数の操作キー７を備えている。操作キー７は、透光性の樹脂材料に数字や文字等の機能表示が印刷されたものからなる。
【００１８】
次に、本実施形態における携帯電話機１００の特徴部分の構成を詳述する。図２は、携帯電話機１００の第２の筐体２の概略構成を示す斜視分解図である。よって、以下の説明では、携帯電話機１００の第２の筐体２について詳しく説明する。
【００１９】
第２の筐体２は、箱状のフロントケース２ａとリアケース２ｂとを備えている。これらフロントケース２ａとリアケース２ｂとの間には、プリント基板１１、プリント基板１２、接触シート１３、押圧シート１４、導光シート１５（照光部）、照光色変更シート１６などが収容され、フロントケース２ａの上面側には、操作パッド８が設けられる構成とされている。
【００２０】
操作パッド８は、操作キー７の部分が、透光性及び可撓性を有する樹脂部材から構成されており、ユーザーが操作キー７を押下することで変形可能となっている。操作キー７以外の部分、すなわち枠部４においては不透明であってもよく、硬質の材料により構成されている。本実施形態における操作キー７には、数字や文字などの表示部分に光透過部２４が設けられている。すなわち、操作キー７には数字や文字の外形を模るようにして機能表示が印刷され、ゆえに数字や文字などの表示部分が透明になっている。この光透過部２４を照射光が透過することによって各操作キー７の機能表示が浮かび上がり、ユーザに視認されることになる。このような操作パッド８は、その裏面側がフロントケース２ａの凹部２Ａ内に貼着されている。なお、フロントケース２ａの中央には開口４０が設けられており、ユーザによる操作キー７の押下を許容できる形状になっている。
一方、第２の筐体２内に収容され且つ操作パッド８から最も離れた最下層には、プリント基板１１が収容されている。
【００２１】
プリント基板１１は、携帯電話機１００の動作を司る制御回路が実装されたもので、リアケース２ｂと接触するようにしてその内側に収容されている。このプリント基板１１の表面には、マグネシウム合金からなる剛性板１７が設けられている。
【００２２】
プリント基板１２は、プリント基板１１上に剛性板１７を介して配置されており、その表面側に操作キー７の回路パターンが形成されている。そして、各操作キー７に対応する位置に、操作キー７の押圧によって電気的に導通する固定端子１８が複数設けられ、これら各固定端子１８が上述したプリント基板１１に接続されている。各固定端子１８の真上に各操作キー７が配置されるようになっている。このようなプリント基板１２の長手方向両側の端部には、それぞれ一対のＬＥＤ１９がハンダなどによって実装されている。
【００２３】
ＬＥＤ１９は、複数の波長の光を含んで投射するものが好ましく、例えば、白色光を投射するもの、例えば、白色発光ダイオードなどのように可視光線の全部の波長の光を含んで投射する発光体であることが望ましい。
【００２４】
接触シート１３は、シリコンなどの弾性材料からなるもので、プリント基板１２の固定端子１８の各々に対応する複数の接触部２０（メタルドーム）を有している。接触部２０は、ドーム状を呈し、その内側にプリント基板１２の固定端子１８と導通可能な接続端子（不図示）が設けられている。通常、接続端子は、固定端子１８に対して開放（離間）状態とされており、対応する操作キー７がユーザーにより押圧されると、接触部２０が変形して接続端子が固定端子１８に接触し、電気的に導通されるようになっている。これにより、接続端子と固定端子１８との接触によって操作キー７がユーザによって操作されたことが、プリント基板１２に設けられた回路パターンを介してプリント基板１１へと伝達される。
【００２５】
押圧シート１４は、接触シート１３の上方（表面側）に配置され、接触シート１３に設けられたドーム状の接触部２０を押圧するための突起部２１が各操作キー７に対応して複数設けられている。この押圧シート１４と上記接触シート１３は、ＬＥＤ１９からの光を遮断しないようにするためにＬＥＤ１９の表面を覆わない大きさで形成されており、プリント基板１２よりも小さい。具体的には、プリント基板１２よりも長さ方向が短くなっていて、押圧シート１４及び接触シート１３がプリント基板１２上に積層された場合に少なくともＬＥＤ１９が露出することになる。
【００２６】
導光シート１５は、押圧シート１４及び接触シート１３と同形状とされており、長さ方向両側の端部に露出するＬＥＤ１９からの光を導光して操作パッド８を照明するものである。そして、上記ＬＥＤ１９から取り込んだ光が内部で反射を繰り返しつつ全体に亘って伝搬するようになっている。本実施形態における導光シート１５は、内部を伝播する光を出射して操作キー７を照射する照明領域１５Ａと、それ以外の領域で光を遮蔽する遮蔽領域１５Ｂとを有している。このような導光シート１５の表面（光出射面）１５ａには遮光膜２２がパターン形成されている。
【００２７】
遮光膜２２は、各操作キー７に対応する位置に、平面視において操作キー７と略等しい大きさの開口２２ａを複数有しており、これによって導光シート１５の照明領域１５Ａと遮蔽領域１５Ｂとが設定されている。すなわち、開口２２ａが照明領域１５Ａを定めることになり、それ以外の領域が遮蔽領域１５Ｂとなる。
【００２８】
そして、このような導光シート１５の内部で伝搬している光が照明領域１５Ａから操作パッド８に向かって出射されて、操作キー７が照光される。本実施形態では、導光シート１５とＬＥＤ１９とによって操作パッド８を照光する照光部２３が構成されている。また、導光シート１５は、導光性を高めるために比較的撓み難い構成となっているが、接触シート１３が押圧シート１４の突起部２１に押圧されてその押圧力が接触部２０に集中して内部の接続端子（不図示）を固定端子１８に導通させるため、操作キー７の操作性が低下することはない。
【００２９】
本実施形態の携帯電話機１００には、操作パッド８と照光部２３との間であって導光シート１５の光出射面１５ａ上に照光色変更シート１６が設けられている。照光色変更シート１６は、透光性および可撓性を有する材料から構成され、各操作キー７に対応する複数の色材２５の配列パターン１６Ａを有している。色材２５は、操作キー７と対向するとともに、平面視において操作キー７と略等しい大きさを有するものである。
【００３０】
ここで、配列パターン１６Ａにおける各色材２５の配色は適宜設定され、例えば操作キー７ごと、あるいは操作キー７の機能ごとにその色が異ならせてあってもよい。そして、導光シート１５の照明領域１５Ａから出射された照射光がこの照光色変更シート１６に入射すると、各色材２５によって所定の色の光となって対応する操作キー７を照明する。
【００３１】
また、上述した導光シート１５には、光出射面１５ａ上に設けられた遮光膜２２によってその照明領域１５Ａおよび遮蔽領域１５Ｂが区画形成されているため、仮に隣り合う色材２５の色が異なっていたとしても照光色が混じり合うことはない。
【００３２】
本実施形態における携帯電話機１００では、照光色変更シート１６により、各操作キー７を色材２５の色に応じて照光させることができる。照光色変更シート１６は着脱可能に取り付けられ、操作キー７の照光色を変更したい場合には、配列パターン１６Ａとは異なる配列パターンを有した別の照光色変更シートと取り替えることが可能である。これにより、操作キー７における照光色のカラーバリエーションが増えるので、ユーザーは好みに応じた携帯電話機１００を選択することができる。
【００３３】
従来、操作キー７の照光色を変更する場合には、操作パッドごと差し替える必要があったため手間も費用もかかってしまっていた。これに対して本実施形態であれば、操作パッド８自体は共通で、照光色変更シート１６を取り替えるだけで済むことから、照光色（携帯電話機１００）の照光色のカラーバリエーションを容易に増やすことができる。上記構成の照光色変更シート１６は、生産性も良く、照光色パターンの異なる操作パッド８を数種類用意しておく場合に比べてその製造コストを格段に抑えることが可能である。
【００３４】
（第２の実施形態）
図３は、第２の実施形態における携帯電話機２００の全体構成を説明する図、図４は、第２実施形態における携帯電話機２００の第２の筐体２における要部構成を説明する図、図５は、携帯電話機２００の照光色変更シート３６の概略構成を示す平面図である。以下に示す第２実施形態の携帯電話機２００の基本構成は、上記第１の実施形態と略同様であるが、照光色変更シート３６及びその周辺の構成において異なっている。よって、以下の説明では、照光色変更シート３６及びその周辺の構成について詳しく説明し、共通な箇所の説明は省略する。また、説明に用いる各図において、図１及び図２と共通の構成要素には同一の符号を付すものとする。
【００３５】
本実施形態の携帯電話機２００は、図４に示すように、第２の筐体２の長さ方向に沿ってスライド可能な照光色変更シート３６を備えている。照光色変更シート３６は、図４に示すように、操作キー７に対応する色材２５の第１の配列パターン３６Ａと、同じく操作キー７に対応する色材２６の第２の配列パターン３６Ｂとの２組の配列パターンを有している。そして、同一の操作キー７に対応する、第１の配列パターン３６Ａにおける色材２５と第２の配列パターン３６Ｂにおける色材２５とが、照光色変更シート３６の長さ方向に並んで配置されており、配列パターン３６Ａ，３６Ｂのうち、操作キー７に対応する配列パターンを選択することで操作キー７の照光色を可変できるようになっている。本実施形態における各色材２５，２６は、特に操作キー７の表示部分に対応するようにして表示部分と対向する位置に設けられており、その大きさが少なくとも表示部分を含む大きさであればよい。
このような照光色変更シート３６には、後述するスライドキー２８が連結されている。
【００３６】
導光シート２７は、照光色変更シート３６の下方（操作パッド８とは反対側の面側）に配置され、各配列パターン３６Ａ，３６Ｂにおける各色材２５，２６に対応する大きさの照明領域２７Ａと、照明領域２７Ａ以外の遮蔽領域２７Ｂとを有している。導光シート２７の表面（光出射面）２７ａには、照明領域２７Ａ及び遮蔽領域２７Ｂを設定する遮光膜２９が設けられている。
【００３７】
遮光膜２９は、各操作キー７に対応する位置に複数の開口２９ａを有しており、これによって導光シート２７の照明領域２７Ａと遮蔽領域２７Ｂとが設定されている。開口２９ａは、平面視において操作キー７及び色材２５，２６と略等しい大きさで形成されている。
【００３８】
スライドキー２８は、図３に示すように、第２の筐体２の側面に具備され、係る携帯電話機２００を閉じた状態においても外面に露出する位置に設けられていて、地点Ａと地点Ｂとの間で移動可能に構成されている。このスライドキー２８は、直接または不図示の連結部材を介して照光色変更シート３６と連結されており、図４中の矢印で示すように、スライドキー２８の移動に伴って照光色変更シート３６を操作パッド８に対してスライドさせることが可能である。ここで、照光色変更シート３６のスライド方向は、操作パッド８の面に対して平行な方向となる。
【００３９】
本実施形態の携帯電話機２００では、図４に示すように、スライドキー２８が地点Ａに位置する場合に、照光色変更シート３６の第１の配列パターン３６Ａが操作キー７に対応している。そして、スライドキー２８を地点Ｂへ移動させることによって、図５に示すように照光色変更シート３６の第２の配列パターン３６Ｂが操作キー７に対応することになる。このようにして、スライドキー２８の移動に伴って照光色変更シート３６における配列パターン３６Ａ，３６Ｂのうち、操作キー７（特に、表示部分）に対応する配列パターンを選択することによって、操作キー７の照光色を適宜変更することが可能になっている。なお、照光色変更シート３６の移動後の状態において、その下方に配置された押圧シート１４の各突起部２１の真上に、第１の配列パターンの各色材２５あるいは第２の配列パターンの各色材２６の中央部分が位置するようになっている。これにより、混色が防止されたものとなる。
【００４０】
本実施形態の携帯電話機２００によれば、スライドキー２８によって照光色変更シート３６を移動させることで、操作キー７の照光色を可変させることができる。そのため、照光色変更シート３６を付け替えなくても、ユーザの意向に応じて操作キー７の照光色を随時変更することが可能である。例えば、外光に応じて照光色を選択することも可能になるので、操作性が向上する。
【００４１】
なお、スライドキー２８に他の機能を付加してもよい。例えば、操作キー７の操作を制限するキーロック機能を付加してもよい。
また、スライドキー２８は、携帯電話機２００の側面でなくてもよく、ユーザによって操作しやすい箇所であればどこでも構わない。
【００４２】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００４３】
例えば、先の実施形態では、操作キー７の数字や文字などの表示部分に光透過部２４が設けられているが、さらに操作キー７の輪郭に沿うようにして光透過部２４が設けられていてもよい（図４）。操作キー７の輪郭が透過性とされた、いわゆるフレームキーシートを用いることによって、操作キー７の場所を把握し易く、暗所であってもユーザによるキー操作が容易になる。
また、操作キー７の表示部分以外の領域に光透過部２４を設けてもよい。
【００４４】
また、先の実施形態では、プリント基板１２の長手方向両側に一対ずつ計４つのＬＥＤ１９を配置し、導光シート１５の長手方向両側の端部に各ＬＥＤ１９が位置する構成となっているが、図６に示すように、プリント基板１２上の所定位置に複数のＬＥＤ１９を配置し、導光シート１５の、各ＬＥＤ１９に対応する位置に形成された開口部１５ｂ内にそれぞれ挿入させる構成としてもよい。これにより、ＬＥＤ１９の設置数を増やせるので、導光シート１５においてより均一な照明光を射出させることが可能であるとともに、全体の照度を高めることが可能である。
なお、実際には、導光シート１５とプリント基板１２との間に配置された接触シート１３Ａにも、導光シート１５の各開口部１５ｂに対応した複数の開口部が形成されている（図６においては、導光シート１５の開口部１５ｂとプリント基板１２のＬＥＤ１９との位置関係を分かり易くするために、接触シート１３Ａは外形のみを表現し簡略化してある）。
また、上記構成は一例であり、ＬＥＤ１９の数などは図示したものに限らず適宜変更可能である。また、第２の実施形態の導光シート２７にも図６におけるＬＥＤ１９の配列に対応した開口部を設けることが可能である。但し、導光シートの平面性を確保するため、プリント基板１２に実装するＬＥＤ１９の数を制限するなどして開口部の数を少なくすことが好ましい。こうすることで、導光シート２７上の照光色変更シート３６をスムーズにスライドさせることができる。
【００４５】
また、先の実施形態では、照光色変更シート１６における色材２５の平面視の大きさを操作キー７と略等しい大きさとしたが、複数の操作キー７に対応（対向）する大きさで形成してもよい。この構成は、隣り合う操作キー７同士の照射光が同色であった場合に好適である。これにより、照光色変更シート１６に対して色材２５をパターン形成するのが容易になる。
【００４６】
また、先の実施形態では、色材２５の平面視における形状を操作キー７に対応して矩形状としたが、光透過部２４を含む大きさであればその形状は問わず、例えば円形でも楕円形状であってもよい。
【００４７】
また、先の実施形態では電子情報装置として、図１，３に示されるような携帯電話機１００，２００を例に挙げて説明したが、これに限らず、ＰＨＳ、ＰＤＡ、ＰＣ、モバイルツール、電子辞書、電卓、複写機等であってもよい。
【図面の簡単な説明】
【００４８】
【図１】第１の実施形態における携帯電話機の全体構成を説明する図、（ａ）平面図、（ｂ）側面図。
【図２】携帯電話機の第２の筐体の概略構成を示す斜視分解図。
【図３】第２実施形態における携帯電話機の全体構成を説明する図、
【図４】第２実施形態における携帯電話機の第２筐体の要部構成を説明する図。
【図５】携帯電話機の照光色変更シートの概略構成を示す平面図。
【図６】導光シート及びプリント基板における変形例を示す平面図。
【符号の説明】
【００４９】
１００，２００…携帯電話機（携帯電子機器）、２ａ…フロントケース、２ｂ…リアケース、４…枠部、７…操作キー、８…操作パッド（操作部）、１１、１２…プリント基板、１３，１３Ａ…接触シート、１４…押圧シート、１５，２７…導光シート、１５Ａ，２７Ａ…照明領域、１５Ｂ，２７Ｂ…遮蔽領域、１６Ａ，３６Ａ，３６Ｂ…配列パターン、１６，３６…照光色変更シート、１７…剛性板、１８…固定端子、１９…ＬＥＤ（発光素子）、２０…接触部（メタルドーム）、２２…遮光膜、２３…照光部、２４…光透過部、２５，２６…色材、２８…スライドキー（スライド手段）、４０…開口
【図１】
2010081478.tif 000003
【図２】
2010081478.tif 000004
【図３】
2010081478.tif 000005
【図４】
2010081478.tif 000006
【図５】
2010081478.tif 000007
【図６】
2010081478.tif 000008